(57)【要約】【課題】簡単な構造で汎用性に優れているうえに、軒樋などの上方の排水路側に水が溢れだすことを防ぐことができる排水構造を提供する。【解決手段】上方の軒樋１の底面１ｂに形成される排水口１１と竪樋２との間に集水器３が介在される排水構造である。  そして、集水器は、竪樋の流入口側に設けられる集水部３１と、排水口側となる集水部の上方に設けられる放水部３２とを備えている。また、集水部は、流入口よりも広い断面の升状に形成されるとともに、放水部には集水器の内外を連通させるスリット３２ａ，・・・が設けられる。【選択図】図１
2015031122.tif 000002
【特許請求の範囲】
【請求項１】
上方の排水路の底面に形成される排水口と竪樋との間に集水器が介在される排水構造であって、
前記集水器は、前記竪樋の流入口側に設けられる集水部と、前記排水口側となる前記集水部の上方に設けられる放水部とを備え、
前記集水部は前記流入口よりも広い断面の升状に形成されるとともに、前記放水部には前記集水器の内外を連通させる開口が設けられることを特徴とする排水構造。
【請求項２】
前記放水部の開口が前記排水口よりも下方に離隔した位置に設けられることを特徴とする請求項１に記載の排水構造。
【請求項３】
前記開口が縦方向に延びるスリットであることを特徴とする請求項１又は２に記載の排水構造。
【請求項４】
前記排水口に、前記放水部内に突出させるドレーン材が装着されることを特徴とする請求項１乃至３のいずれか一項に記載の排水構造。
【請求項５】
前記排水口の上部がフィルター材によって覆われることを特徴とする請求項１乃至４のいずれか一項に記載の排水構造。
【請求項６】
前記排水路は軒天井の上に敷設される軒樋であって、
前記集水器は、前記軒天井の上面に引っ掛けられる上側鍔部を有する上リングと、前記軒天井の下面に押し付けられる下側鍔部を有するとともに前記上リングにねじ込まれる下リングと、前記集水部と前記放水部とを有するとともに前記下リングに上端が支持される升本体とを備えたことを特徴とする請求項１乃至５のいずれか一項に記載の排水構造。
【発明の詳細な説明】
【技術分野】
【０００１】
本発明は、建物の陸屋根やバルコニーや庇などに設けられた軒樋などの排水路の水を竪樋によって流下させるための排水構造に関するものである。
【背景技術】
【０００２】
建物の屋根に降った雨水は、軒先に設けられた軒樋に流れ込んで横移動し、軒樋に接続された竪樋に流れ込んで地上まで運ばれることになる。ここで、竪樋の排水能力が軒樋の排水能力よりも小さい場合に、豪雨によって竪樋の排水能力を超えた水量が流れ込むと、排水しきれない水が軒樋側に溢れて軒天井を浸水させることがある。
【０００３】
これに対処するために、竪樋で排水しきれない水を軒樋側でオーバーフローさせることで、軒天井の浸水を防ぐことができる排水構造が知られている（特許文献１−３など参照）。
【０００４】
一方、特許文献４，５には、竪樋の途中にオーバーフロー機能を設けることで、竪樋によって排水しきれなかった水が軒樋側に溢れ出すのを防ぐことができる排水構造が開示されている。
【先行技術文献】
【特許文献】
【０００５】
【特許文献１】特開平８−２４６６１６号公報
【特許文献２】実開昭６４−２７３２９号公報
【特許文献３】特開２００５−２６４５３９号公報
【特許文献４】特開平９−１６５８００号公報
【特許文献５】特開２０１１−８９３２１号公報
【発明の概要】
【発明が解決しようとする課題】
【０００６】
しかしながら特許文献１−３の排水構造では、庇部や側壁などの軒天井側にオーバーフロー機構を設けなければならないため、特殊な構造となって汎用性に欠ける。
【０００７】
一方、竪樋の途中にオーバーフロー機構を設ける場合は、オーバーフロー機構を設けた箇所と軒樋との間の排水能力が低下した場合に、結局、軒樋側に水を溢れさせることになる。
【０００８】
そこで、本発明は、簡単な構造で汎用性に優れているうえに、軒樋などの上方の排水路側に水が溢れだすことを防ぐことができる排水構造を提供することを目的としている。
【課題を解決するための手段】
【０００９】
前記目的を達成するために、本発明の排水構造は、上方の排水路の底面に形成される排水口と竪樋との間に集水器が介在される排水構造であって、前記集水器は、前記竪樋の流入口側に設けられる集水部と、前記排水口側となる前記集水部の上方に設けられる放水部とを備え、前記集水部は前記流入口よりも広い断面の升状に形成されるとともに、前記放水部には前記集水器の内外を連通させる開口が設けられることを特徴とする。
【００１０】
ここで、前記放水部の開口が前記排水口よりも下方に離隔した位置に設けられるのが好ましい。また、前記開口は、縦方向に延びるスリットにすることができる。
【００１１】
さらに、前記排水口に、前記放水部内に突出させるドレーン材が装着される構成であってもよい。また、前記排水口の上部がフィルター材によって覆われる構成にすることもできる。
【００１２】
そして、前記排水路は軒天井の上に敷設される軒樋であって、前記集水器は、前記軒天井の上面に引っ掛けられる上側鍔部を有する上リングと、前記軒天井の下面に押し付けられる下側鍔部を有するとともに前記上リングにねじ込まれる下リングと、前記集水部と前記放水部とを有するとともに前記下リングに上端が支持される升本体とを備えた構成とすることができる。
【発明の効果】
【００１３】
このように構成された本発明の排水構造は、排水路の底面に形成される排水口と竪樋との間に介在される集水器に、竪樋の流入口よりも広い断面の集水部が設けられるとともに、その上方に放水部が設けられる。
【００１４】
このため、竪樋に水が流れ込みにくくなった場合でも、まずは集水部で貯留させ、それ以上の水量があるときには上方の排水路側に溢れ出さないように放水部の開口から水を排水させることができる。このように集水器を介在させるのであれば、簡単な構造で汎用性に優れている。
【００１５】
また、放水部の開口が排水口よりも下方に離隔した位置に設けられていれば、集水器内の水位が上昇しても、排水路側に到達する前に開口から吐出されるので、排水路側に水が溢れだすことを防ぐ効果をより高めることができる。
【００１６】
さらに、開口が縦方向に延びるスリットであれば、水位上昇に対する排水性能をより高めることができる。そして、排水口に放水部内に突出させるドレーン材を装着することによって、排水路から竪樋に向けてスムーズに水を流下させることができる。
【００１７】
また、排水口の上部がフィルター材によって覆われていれば、ごみや落ち葉などが竪樋側に流れ込むのを阻止して、集水器や竪樋の詰りを防ぐことができる。
【００１８】
さらに、集水器を軒天井に固定するための上リングと下リングとを備え、その下リングに升本体を支持させる構成とすることで、簡単に軒天井に取り付けることができる。
【図面の簡単な説明】
【００１９】
【図１】本発明の実施の形態の排水構造の構成を示した断面図である。
【図２】集水器の構成を説明するための分解斜視図である。
【図３】軒天井に取り付けられた集水器の構成を示した側面図である。
【発明を実施するための形態】
【００２０】
以下、本発明の実施の形態について図面を参照して説明する。図１は、屋根としての陸屋根４に本実施の形態の排水構造を設けた構成を示した断面図である。
【００２１】
まず、陸屋根４について説明する。この陸屋根４は、切妻屋根などの傾斜屋根に比べて平坦に形成される屋根である。ここでは、ユニット建物を構成する建物ユニットの屋根梁５１の上に架け渡された屋根フレーム５２に設けられる陸屋根４について説明する。
【００２２】
この屋根フレーム５２の上面は、例えば野地板と溶融アルミニウムめっき鋼板などによって形成される屋根ふき材とによって構成される屋根材５３によって塞がれる。
【００２３】
この屋根材５３の上面には排水勾配が形成されるが、傾斜屋根に比べて勾配が緩いため、後述する排水構造による排水が滞ると、屋根材５３の上面まで浸水してしまうおそれがある。
【００２４】
陸屋根４の軒先は、外壁５４から張り出された庇部４ａとなっており、端面はパラペット４２によって覆われている。そして、この庇部４ａの下面が、軒天井４１によって塞がれる。
【００２５】
この軒天井４１は、図１の紙面直交方向に外壁５４に沿って延びている。そして、この軒天井４１の上面４１ａには、軒樋１が敷設される。この軒樋１には、図１の紙面直交方向に対して排水勾配が設けられるため、軒樋１は位置によって上面４１ａから離隔して浮いた状態になっている。
【００２６】
すなわち、軒樋１は、屋根フレーム５２に取り付けられた吊り金具１２によって吊り下げられている。この吊り金具１２は、屋根フレーム５２に端部又は中間部が固定される支持ボルト１２ａと、支持ボルト１２ａの下端に取り付けられる保持具１２ｂとによって主に構成される。
【００２７】
軒樋１は、一対の側壁１ａ，１ａとそれらの下縁間を塞ぐ底面１ｂとによって、細長い溝状に形成される。そして、側壁１ａ，１ａの上縁が保持具１２ｂに引っ掛けられて、軒樋１が吊り下げられることになる。
【００２８】
この軒樋１は、最下流点において竪樋２に接続される。この竪樋２と軒樋１との間には、集水器３が介在される。すなわち、軒樋１の最下流点の底面１ｂには排水口１１が穿孔され、その排水口１１から流れ落ちた水が、集水器３を通って流入口２１から竪樋２に流れ込む。
【００２９】
集水器３は、竪樋２の流入口２１側に設けられる集水部３１と、排水口１１側となる集水部３１の上方に設けられる放水部３２とを備えている。図２，３は、集水器３の詳細な構成を示した図である。
【００３０】
この集水器３は、図２に示すように、軒天井４１の上面４１ａに引っ掛けられる上リング３３と、その上リング３３に軒天井４１の下面４１ｂ側からねじ込まれる下リング３４と、その下リング３４に上端が支持される升本体３５とによって構成される。
【００３１】
上リング３３は、円筒状の胴部３３ｂの上縁に上側鍔部３３ａが設けられた部材である。この胴部３３ｂの外周面には、ねじ部３３ｃとしてねじ溝が設けられる。
【００３２】
この胴部３３ｂは、軒天井４１に穿孔される貫通孔４１ｃの内径よりも僅かに小さい外径に成形されている。そして、胴部３３ｂを貫通孔４１ｃに上から通すと、上側鍔部３３ａが貫通孔４１ｃの周縁の上面４１ａに引っ掛かる。また胴部３３ｂは、軒天井４１の板厚よりも長く形成されており、ねじ部３３ｃが軒天井４１の下面４１ｂから下方に突出することになる。
【００３３】
一方、下リング３４は、上リング３３の胴部３３ｂの外径よりも僅かに大きい内径の円筒状の胴部３４ｂと、その胴部３４ｂの上縁に設けられる下側鍔部３４ａとを有している。
【００３４】
この胴部３４ｂの内周面には、ねじ部３４ｃとしてねじ溝が設けられる。また、胴部３４ｂの内周面の下縁には、内周に沿って円弧状の受部３４ｄが複数、設けられる。例えば受部３４ｄ，・・・は、周方向に間隔を置いて等間隔で３箇所に設けられる。
【００３５】
そして、軒天井４１の下方に突出した上リング３３の胴部３３ｂに下リング３４の胴部３４ｂを挿し込み、ねじ部３３ｃにねじ部３４ｃをねじ込んでいく。この結果、上リング３３の上側鍔部３３ａは軒天井４１の上面４１ａに押し付けられ、下リング３４の下側鍔部３４ａは軒天井４１の下面４１ｂに押し付けられることになる。
【００３６】
このようにして軒天井４１に固定された下リング３４に支持させる升本体３５は、集水部３１と放水部３２とを有している。集水部３１は、円筒升状に形成され、下面に竪樋２への挿込口３６が設けられる。この挿込口３６は、竪樋２の流入口２１の内径よりも僅かに小さい外径の円筒状に形成されている。
【００３７】
そして、集水部３１は、挿込口３６（流入口２１）の断面よりも広い断面に形成される。すなわち、集水部３１には、流入口２１よりも広い断面に高さを掛けた容積の水を貯留させることができる。
【００３８】
一方、放水部３２は、集水部３１の上縁から上方に延びる複数の細板部３２ｂ，・・・と、細板部３２ｂ，３２ｂ間の開口となるスリット３２ａとを有している。
【００３９】
例えば細板部３２ｂ，・・・は、周方向に等間隔で設けられる。この細板部３２ｂ，３２ｂ間に形成されるスリット３２ａは、縦方向に細長く延びる長方形状に形成される。
【００４０】
このような細板部３２ｂ，・・・の幅や数は、放水部３２として必要な強度及び排水性能を考慮して任意に設定することができる。また、集水器３の内部に虫などが入り込むことができない程度のスリット３２ａの間隔にするのが好ましい。
【００４１】
これらの細板部３２ｂ，・・・の上端には、環状の上縁部３２ｃが設けられる。また上縁部３２ｃには、周方向に等間隔に複数の円弧状の爪部３２ｄ，・・・が設けられる。
【００４２】
升本体３５の上縁部３２ｃの外径は、下リング３４の胴部３４ｂの内径よりも僅かに小さく形成されている。そして、上縁部３２ｃを胴部３４ｂに下方から挿し込んで回転させることによって、胴部３４ｂの受部３４ｄ，・・・に爪部３２ｄ，・・・を引っ掛ける。
【００４３】
受部３４ｄの端部にはストッパ３４ｅが突起しており、爪部３２ｄがストッパ３４ｅに当たるまで升本体３５を回転させる。これによって升本体３５が下リング３４に取り付けられる。
【００４４】
図３は、軒天井４１に集水器３が取り付けられた状態を示している。集水器３の下方に突出した挿込口３６には、竪樋２の流入口２１が挿し込まれる。また、軒樋１側の排水口１１には、ドレーン材としての自在ドレーン６が装着される。
【００４５】
この自在ドレーン６は、下部が円筒状に形成された突出部６１となり、上部がフィルター材としての格子部６２となる。格子部６２は、軒樋１側から竪樋２側に流入させたくないごみの大きさによって任意に隙間の大きさを設定することができる。細かいごみも流入させたくない場合は、網状のフィルター材を使用することもできる。
【００４６】
突出部６１は、図１，３に示すように、放水部３２の中に挿入される。この突出部６１の長さは任意に設定することができ、下端が集水部３１の中に挿入されるような長尺であってもよい。
【００４７】
このような突出部６１によって、放水部３２の大部分に流路が形成されていれば、水が流下する際に放水部３２のスリット３２ａ，・・・から外部に水が飛び散るのを防ぐことができる。
【００４８】
次に、本実施の形態の排水構造の作用について説明する。
【００４９】
このように構成された本実施の形態の排水構造は、軒樋１の底面１ｂに形成される排水口１１と竪樋２との間に介在される集水器３に、竪樋２の流入口２１よりも広い断面の集水部３１が設けられるとともに、その上方に放水部３２が設けられる。
【００５０】
このような排水構造では、竪樋２の排水能力以内の水量が軒樋１から流れ込む通常時においては、軒樋１を流下した水は排水口１１から自在ドレーン６に流れ込み、自在ドレーン６から吐出された水はそのまま竪樋２に流れていく。
【００５１】
これに対して、豪雨などによって軒樋１を流下する水量が増えて、竪樋２の排水能力が追い付かずに水が流れ込みにくくなった場合は、まずは集水部３１に貯留されることになる。
【００５２】
この集水部３１の容積が大きいほど、一時的に貯留できる水量が増える。流れ込む水量がこの集水部３１の容積内であれば、放水部３２からも漏れださせることもなく、外観上は通常時と変わらぬ排水処理とすることができる。
【００５３】
さらに降雨が強くなって軒樋１を流れる水量が増大し、集水部３１の水位が放水部３２との境界まで達すると、それ以降に自在ドレーン６から流れ込んだ水は、放水部３２のスリット３２ａ，・・・から溢れ出すことになる。
【００５４】
このようにして放水部３２から溢れ出した水は、竪樋２の外側を落下することになって外観上も通常時の排水処理とは異なることになる。しかしながら、放水部３２の排水能力以内の水量が流れ込む限りにおいては、上方の軒樋１側に水が溢れ出すことがなく、軒天井４１の浸水を防ぐことができる。
【００５５】
そして、このような排水構造にすることによって、軒樋１の排水能力と同等の排水能力の竪樋２を設けなくてもよくなる。すなわち、従来であれば、軒樋１の両端に竪樋２，２をそれぞれ設けていたような場合でも、竪樋２を一箇所に集中させることができるようになる。その結果、住宅などの建物の設計の自由度を広げることができるようになる。
【００５６】
さらに、排水箇所を集中させることができるようになれば、雨水の貯水槽などを設けて雨水を積極的に利用することができるようになり、節水や非常時の水の確保が可能になる。
【００５７】
また、軒樋１と竪樋２との間に集水器３を介在させるのであれば、軒樋１、軒天井４１又は庇部４ａの内部などに特別な排水構造を設ける必要がない。さらに、接続させる軒樋１や竪樋２には通常の部材を使用することができるので、汎用性に優れている。
【００５８】
特に、集水器３を軒天井４１に固定するための上リング３３と下リング３４とを備え、その下リング３４に升本体３５を引っ掛ける構成とすることで、簡単に軒天井４１に取り付けることができる。
【００５９】
また、放水部３２のスリット３２ａ，・・・が軒天井４１の下面４１ｂよりも下方に離隔した位置に設けられていれば、集水器３内の水位が上昇しても、軒天井４１に到達する前にスリット３２ａ，・・・から吐出されるので、軒天井４１を濡らしたり浸水させたりすることを防ぐことができる。
【００６０】
さらに、開口が縦方向に延びるスリット３２ａ，・・・であれば、水位が上昇すると逐次排水が行われることになるため、高い排水性能を維持することができる。
【００６１】
そして、排水口１１に放水部３２内に突出させる自在ドレーン６を装着することによって、軒樋１から竪樋２に向けてスムーズに水を流下させることができる。
【００６２】
また、自在ドレーン６の突出部６１によって放水部３２内の流路が形成されていれば、流下する水がスリット３２ａ，・・・から外部に飛び散ることを防ぐことができる。
【００６３】
さらに、排水口１１の上部が格子部６２によって覆われていれば、ごみや落ち葉などが竪樋２側に流れ込むのを阻止して、集水器３や竪樋２の詰りを防ぐことができる。
【００６４】
以上、図面を参照して、本発明の実施の形態を詳述してきたが、具体的な構成は、この実施の形態に限らず、本発明の要旨を逸脱しない程度の設計的変更は、本発明に含まれる。
【００６５】
例えば、前記実施の形態では、陸屋根４に設けられる軒樋１を排水路として説明したが、これに限定されるものではなく、庇に設けられる軒樋やベランダ床面の縁部に設けられる排水溝などが排水路であってもよい。
【００６６】
また、前記実施の形態では、縦方向に延びるスリット３２ａを放水部３２に設ける開口として説明したが、これに限定されるものではなく、複数の穴や横方向に延びるスリットを開口としてもよい。さらに、格子状や網目状の放水部を設けることもできる。
【００６７】
また、前記実施の形態では、排水口１１に自在ドレーン６を装着したが、これに限定されるものではなく、例えば排水口１１を網材などで覆うだけでもよい。
【符号の説明】
【００６８】
１              軒樋（排水路）
１ｂ            底面
１１            排水口
２              竪樋
２１            流入口
３              集水器
３１            集水部
３２            放水部
３２ａ          スリット（開口）
３２ｃ          上縁部（上端）
３３            上リング
３３ａ          上側鍔部
３４            下リング
３４ａ          下側鍔部
３５            升本体
４              陸屋根
４１            軒天井
４１ａ          上面
４１ｂ          下面
６              自在ドレーン（ドレーン材）
６１            突出部
６２            格子部（フィルター材）
【図１】
2015031122.tif 000003
【図２】
2015031122.tif 000004
【図３】
2015031122.tif 000005